(57)【特許請求の範囲】
【請求項１】
キースイッチの縦方向に連なる幾つかのまとまりを適宜な基体で一体的に連結させてスイッチ群を形成し、該夫々のスイッチ群を適宜手段により入力機器本体の横方向の水平面内に移動可能に支持させた容積可変型のキーボード装置において、
前記夫々の左右最外側のスイッチ群を入力機器本体の側面から引出可能な先端部に突起を設けた略コ字状の支持フレームで支持させると共に、
該支持フレームを移動させる手段を入力機器本体に枢着された表示体の回動運動に連動させたものであって、
この支持フレームを移動させる手段は、入力機器本体裏面側にスライド板を配置し、該スライド板は前記表示体の回動に従いスイッチ群の移動方向に対して直交方向にスライド自在に支持されており、該スライド板の左右に案内溝を、スライド板の移動方向及びスイッチ群の移動方向に対して斜めに設け、前記略コ字状の支持フレームの先端部の突起を前記案内溝に挿入することにより、
表示体の回動に伴いスライド板が移動することにより、スライド板の移動方向及びスイッチ群の移動方向に対して斜めに設けた案内溝に挿入された支持フレームの先端部突起をスライド板の移動方向に対して直交方向に移動させて、略コ字状の支持フレーム全体を連動させたものである
ことを特徴とする容積可変型のキーボード装置。
【請求項２】
前記夫々のスイッチ群を入力機器本体の側面から引出可能な略コ字状の支持フレームで支持させると共に、該支持フレームには引き出し位置で停止可能なストッパー手段を設けたことを特徴とする請求項１記載の容積可変型のキーボード装置。
【請求項３】
キースイッチの縦方向に連なる幾つかのまとまりを適宜な基体で一体的に連結させてスイッチ群を形成し、該夫々のスイッチ群を適宜手段により入力機器本体の横方向の水平面内に移動可能に支持させた容積可変型のキーボード装置において、
前記夫々のスイッチ群を入力機器本体の側面から引出可能であって、先端部に突起を設けた略コ字状の支持フレームで支持させると共に、
該支持フレームを移動させる手段を入力機器本体に枢着された表示体の回動運動に連動させたものであって、
この支持フレームを移動させる手段は、前記表示体側に連結された索体が本体に形成されたプーリーによって支持フレームの移動方向に変換され、且つ、支持フレームを縮小方向に付勢するコイルスプリングを索引する状態で取り付けることにより、表示体を開くと、コイルスプリングを拡張させて付勢力に抗して支持フレームを拡張させるものである
ことを特徴とする容積可変型のキーボード装置。
【０００１】
【発明の詳細な説明】
【０００２】
【産業上の利用分野】
本発明は、主として垂直方向に対して高さを変化させることができるキーボード装置に関するものであり、より詳細には、水平方向にキー間隔を変化させることのできるキーボード装置の細部構造に関するものである。
【０００３】
【従来の技術】
従来より、水平方向または垂直方向に対してキー間隔や高さを変化させることができる容積可変型のキーボード装置が知られているが、何れも具体的な構造に欠き、実施可能な形態のものは存在しなかった。
【０００４】
これに対して本発明者は、キートップと下方の接点との間に復帰スプリングを設けることにより上下方向の移動操作で入力動作を行う複数個のキースイッチから構成された一般的なキーボードスイッチにおいて、夫々のキースイッチの所定の方向に連なる幾つかのまとまりを適宜な基体で一体的に連結させてスイッチ群を形成し、夫々のスイッチ群を摺動自在に支持させることにより、所定の方向に拡張可能とした容積可変型のキーボード装置を発明した。
【０００５】
ところで、上記の様な容積可変型のキーボード装置においては、水平方向にスイッチ群を移動させて容積を変更する際、スイッチ群を安定して拡張するために支持部材が必要であり、本発明者は、このため、スイッチ群を入力機器本体の側面から引出可能な略コ字状の支持フレームで支持させる構造とした。
【０００６】
【発明の解決しようとする課題】
ところが、単に支持フレームを用いたのみで水平方向の移動を自由にしておくとキー操作に支障を来す等の問題があった。
【０００７】
【課題を解決する手段】
本発明は、上記の課題を解決すると共に、更に、キースイッチの拡張伸縮操作を表示体と連動させてより安定性、操作性を改善したものである。その構成は、以下の通りである。
【０００８】
即ち、キースイッチの水平方向に連なる幾つかのまとまりを適宜な基体で一体的に連結させてスイッチ群を形成し、該夫々のスイッチ群を適宜手段により入力機器本体の横方向の水平面内に移動可能に支持させた容積可変型のキーボード装置において、夫々のスイッチ群を入力機器本体の側面から引出可能な略コ字状の支持フレームで支持させると共に、この支持フレームを移動させる手段を入力機器本体に枢着された表示体の回動運動に連動させる。そして、支持フレームには引き出し位置で停止可能なストッパー手段を設けた。また、このストッパー手段を支持フレームの引き出し位置での逆戻り防止手段としたのである。
【０００９】
【実施例】
図１乃至図４は、本発明の容積可変型のキーボード装置の第１実施例の説明図であり、図５は、本発明の容積可変型のキーボード装置の第２実施例の説明図であり、図６は、本発明の容積可変型のキーボード装置の第３実施例の説明図であり、図７は、本発明の容積可変型のキーボード装置の第４実施例の説明図であり、図８は、本発明の容積可変型のキーボード装置の全体説明図である。
【００１０】
本発明の容積可変型のキーボード装置は、図８の平面図に図示の如く、規格配列された夫々のキースイッチａ．ａ．．．の内、縦方向に連なる幾つかのまとまりを適宜な基体で例えば、千鳥状に一体的に連結させて幾つかのスイッチ群１を形成するとともに、これらのスイッチ群１の長さ方向の両端部で摺動自在に支持させる等の構成で、水平方向に拡張及び縮小を可能とした容積可変型のキーボード装置である。
【００１１】
また、左右最外側に位置するスイッチ群１は、入力機器本体２の両側面から引出可能な略コ字状の支持フレーム２Ａで支持されている。
【００１２】
図１乃至図４は、第１実施例のキーボード装置を示すもので、この内、図１は、入力機器本体２の裏面側から観察した説明のための透視図となっている。
【００１３】
図示の如く、入力機器本体２の裏面側にはスライド板９がスイッチ群１の移動方向に対して直交方向にスライド自在に支持されている。このスライド板９は、表示体Ｐの取り付け側に突片を持っていて、この突片と噛み合う取付溝９２を有している。
【００１４】
一方、支持フレーム２Ａの先端部には突起２Ｂが形成されいて、この突起２Ｂがスライド板９の案内溝９１に挿入されている。この案内溝９１は、支持フレーム２Ａの動きに対してスライド板９上に斜めに貫設されていて、両端部にストッパー用の逃溝９ａ．９ｂを有している。
【００１５】
また、スライド板９は、図３に図示の如く、表示体Ｐの突起２１に取付溝９２を引っかけて取り付けられている。
【００１６】
上記の如く構成された本発明のキーボード装置は、図３及び図４に図示の如く、表示体Ｐの軸Ｑによる回動操作を行うとスライド板９を移動させるので、表示体Ｐが閉じている状態では、支持フレーム２Ａの先端部の突起２Ｂが、スライド板９の逃溝９ａ中に位置してスイッチ群１を縮小させた状態で係止する。
【００１７】
次に、表示体Ｐを徐々に開いていくと、支持フレーム２Ａの先端部の突起２Ｂが、スライド板９の案内溝９１に沿って移動するので、それに伴って支持フレーム２Ａは相対的に拡張し、表示体Ｐを完全に閉めた状態で逃溝９ｂ中に位置してスイッチ群１を縮小させた状態で係止することになる。
【００１８】
上記に代表される表示体Ｐとの連動は、図５の様な実施例でも実現できる。この実施例の場合、表示体Ｐ側に連結された索体１０Ａが本体２に適宜手段により形成されたプーリー２Ｃによって支持フレーム２Ａの移動方向に変換され且つ支持フレーム２Ａを縮小方向に付勢するコイルスプリング１０を索引する状態で取り付けられている。
【００１９】
この場合、表示体Ｐを開くと、コイルスプリング１０を拡張させて付勢力に抗して支持フレーム２Ａを拡張させることができる。
【００１８】
図６及び図７は、本発明の支持フレーム２Ａの拡張時と縮小時の位置決めを行う手段としての第３実施例及び第４実施例を示したものである。図６の実施例では、各支持フレーム２Ａの間には反転変形型の弾性バネ１１が設けられていて、各支持フレーム２Ａの拡張時と縮小時の位置を弾性的に付勢している。
【００２０】
図７の実施例では、各支持フレーム２Ａの側部の中央辺には先端部に突起１２Ａを有する係止板１２が本体２方向に延設されていて、この突起１２Ａが支持フレーム２Ａの拡張時に本体２の端縁側に形成された係止溝１２ａと嵌合して係止し、支持フレーム２Ａの縮小時に本体２の中央部側に形成された係止溝１２ｂと嵌合して係止する。
【発明の効果】
本発明は、以上の如く構成させたので、この種の容積可変型のキーボード装置において、キースイッチの拡張伸縮操作を表示体と連動させて操作性を改善すると共に、ストッパー手段や逆戻防止手段を設けてより安定して拡張伸縮を行わせたものであり、より実用性に富む容積可変型のキーボード装置を提供させた画期的な発明である。
【図面の簡単な説明】
【図１】  第１実施例のキーボード装置の説明図である。
【図２】  第１実施例のキーボード装置のスライド板を示す説明図である。
【図３】  第１実施例のキーボード装置を説明するための装置本体の側面図である。
【図４】  第１実施例のキーボード装置を説明するための装置本体の側面図である。
【図５】  第２実施例のキーボード装置の説明図である。
【図６】  第３実施例のキーボード装置の説明図である。
【図７】  第４実施例のキーボード装置の説明図である。
【図８】  本発明に係わるキーボード装置の平面図である。
【符号の説明】
ａ  キースイッチ
１  スイッチ群
２  入力機器本体
２Ａ  支持フレーム
２Ｂ  突起
２Ｃ  プーリー
Ｐ  表示体
Ｑ  軸
９  スライド板
９１  案内溝
９２  取付溝
９ａ  逃溝
９ｂ  逃溝
１０  コイルスプリング
１０Ａ  索体
１１  弾性バネ
１２  係止板
１２Ａ  突起
１２ａ  係止溝
１２ｂ  係止溝
【図１】
0004077928.tif 000002
【図２】
0004077928.tif 000003
【図３】
0004077928.tif 000004
【図４】
0004077928.tif 000005
【図５】
0004077928.tif 000006
【図６】
0004077928.tif 000007
【図７】
0004077928.tif 000008
【図８】
0004077928.tif 000009